(57)【要約】【課題】  係合操作がスライド方式で比較的簡単にできると共に、従来のフック・アイのようにフックが外れる方向に力がかかっても簡単に外れることなく、係合がより確実になる。また、生地を介して基板と座板とを一体化し、生地を樹脂化することなく強固に固定できる。さらに、係止具が薄くて着用した時の存在感を和らげることのできる。【解決手段】  係合突部１５を有する合成樹脂製の雄部材２と、その係合突部１５を嵌合する開口溝９を長手方向に設けた合成樹脂製の雌部材１とでなる板状の係止具であって、雄部材２の両側下端部に設けた隆起部１７と雌部材１の下面部１２が係合する。【選択図】        図１６
2005073820.tif 000002
【特許請求の範囲】
【請求項１】
係合突部を有する合成樹脂製の雄部材と、その係合突部を嵌合する開口溝を長手方向に設けた合成樹脂製の雌部材とでなる板状の係止具であって、雄部材の両側下端部に設けた隆起部と雌部材の下面部が係合するように構成したことを特徴とする合成樹脂係止具。
【請求項２】
雄部材の係合突部には張出部を設けてあり、係合時に雌部材の開口溝の裏面外周部に形成されたガイド面を摺動して受け止められている請求項１に記載の合成樹脂係止具。
【請求項３】
雄部材の隆起部には小突起部を設けてあり、その小突起部と雌部材の下面部に設けた切り込み部が係合する請求項１または２に記載の合成樹脂係止具。
【請求項４】
雄部材および雌部材は熱可塑性樹脂からなる平板状の基板と座板の２枚で構成されている請求項１記載の合成樹脂係止具。
【請求項５】
座板の裏面には突起爪を設けてあり、その突起爪を布テープに貫通して基板と超音波溶着で一体化してある請求項３に記載の合成樹脂係止具。
【請求項６】
雄部材は布テープの一側端に取り付けられる共に、雌部材は他方の布テープの端部に一定間隔で少なくとも２列取り付けられている請求項１，２または３に記載の合成樹脂係止具。
【発明の詳細な説明】
【技術分野】
【０００１】
本発明は、衣類などの対向する端縁に着脱や開閉のために取り付けられる合成樹脂係止具に関するもので、さらに詳しくは、ブラジャー、ブラスリップ、ボディスーツなどのバック布の両端部に固着して用いるのに適した合成樹脂係止具に関するものである。
【背景技術】
【０００２】
従来から、ブラジャー、ブラスリップ、ボディスーツなどのファンデーションには、通常、着脱のために前面部の左右カップ布と連設して脇部から後身にかけて延びるバック布の一方に、金属線を環状に屈曲加工したアイ（雌部）が複数列縫着されてあり、他方に金属線を鉤状に屈曲加工したフック（雄部）が縫着されていて、フックをアイに係脱することによって着脱が行われている。
【０００３】
このフック・アイは、ミシン縫製により布テープに縫い付ける方法が一般的であり、そのフック・アイは衣類全体と一体感を持たせて違和感のないように大部分が布テープとして製造されたフック・アイテープが女性用下着の係止具として多用されている。
【０００４】
例えば、図２０，２１に示すアイ付きテープで説明すると、テープ状の基布３１に一定の間隔毎にアイ３２を配し、押さえ布３３でアイ３２の取り付け環部３４を被覆して取り付け環部３４を縫着糸３５で縫着すると共に、押さえ布３３の上端縁も縫着糸３５で縫着している。したがって、押さえ布３３の上端縁と取り付け環部３３に縫着糸３５が現れることになり外観が不体裁であった。また、図２１に示すように、押さえ布３３が段階的に重なり下方になるほど分厚くなって硬化し肌当りが悪かった。
【０００５】
特に最近では下着のカラフル化が進み多色化しており、生地の染色と、その染色された生地と同色の縫製糸の選択に多大の労力を費やすのが現状である。目立たない要求の強いフック・アイについては、使用生地の染色のみでなく、先に染色されている縫製糸からピッタリ合致する色の選択をするようにとの要求があり、その負担は重くなる一方である。
【０００６】
そのような欠点を解消するフック・アイテープとして、テープの表面側および裏面側に縫着糸が一切露出することのないすっきりとした極めて外観優美なフック・アイテープが本出願人によって提案されている。（例えば、特許文献１参照）
【特許文献１】特開平２００２−２８００９号公報
【発明の開示】
【発明が解決しようとする課題】
【０００７】
しかしながら、上記のフック・アイテープのフック・アイを布テープに固定しているのは縫着糸であり、縫着糸が押さえ布で隠されているだけであり、縫着されていることには代わりがない。したがって、製品として仕上がった場合、面倒で手間のかかる検針機作業を必要とする問題点があった。
【０００８】
また、ブラジャー、ブラスリップなど女性用の下着には装飾性のためのレースが多く用いられており、洗濯時にフックがレースを構成する地糸に引っかかってレース糸を引き千切って下着を損傷させることが多かった。さらに、フック・アイの係合ではバック布にフックが外れる方向に力がかると何の抵抗もなく簡単に外れると言う問題点があった。
【０００９】
本発明は、上記の問題点を解決することを課題として開発されたもので、係合操作がスライド方式で比較的簡単にできると共に、従来のフック・アイのようにフックが外れる方向に力がかかっても簡単に外れることなく、係合がより確実であり、且つ生地を介して基板と座板とを一体化し、生地を樹脂化することなく強固に固定でき、また、係止具が薄くて着用した時の存在感を和らげることのできる合成樹脂係止具を提供することを目的とするものである。
【課題を解決するための手段】
【００１０】
上記の課題を解決し、その目的を達成する手段として、本発明は、係合突部を有する合成樹脂製の雄部材と、その係合突部を嵌合する開口溝を長手方向に設けた合成樹脂製の雌部材とでなる板状の係止具であって、雄部材の両側下端部に設けた隆起部と雌部材の下面部が係合するように構成したことを特徴とする合成樹脂係止具を開発し、採用した。
【００１１】
また、上記のように構成した合成樹脂係止具において、雄部材の係合突部には張出部を設けてあり、係合時に雌部材の開口溝の裏面外周部に形成されたガイド面を摺動して受け止められている合成樹脂係止具、および雄部材の隆起部には小突起部を設けてあり、その小突起部と雌部材の下面部に設けた切り込み部が係合する合成樹脂係止具、および雄部材および雌部材は熱可塑性樹脂からなる平板状の基板と座板の２枚で構成されている合成樹脂係止具、および座板の裏面には突起爪を設けてあり、その突起爪を布テープに貫通して基板と超音波溶着で一体化してある合成樹脂係止具、および雄部材は布テープの一側端に取り付けられると共に、雌部材は他方の布テープの端部に一定間隔で少なくとも２列取り付けられている合成樹脂係止具を開発し、採用した。
【発明の効果】
【００１２】
本発明は、雌部材の長手方向に設けた開口溝に雄部材の係合突部をスライドさせて係合するから、容易に係合させることができる。その際、係合突部の張出部がガイド面に沿って摺動するので、極めてスムーズに係合できる。また、雄部材の隆起部の小突起部と雌部材の下面部の切り込み部とが係合し、その時、クリック感（カチンと入る感触）が得られることから係合の確認ができる。さらに、開口溝と係合突部の係合と、隆起部の小突起部と雌部材の下面部に設けた切り込みとの係合によって、両側方からの横引き力がかかったとしても係合が外れることがないので、ブラジャー、ブラスリップ、ボディスーツなど横方向の引っ張り力が大きくかかる女性用下着の係止具に用いれば好適である。
【００１３】
また、雄部材および雌部材とも合成樹脂製の板状で薄く形成してあるから、肌を圧迫せず着用した時に違和感がなくなり着心地がよくなると共に、生地と同色に仕上げることができる。さらに、基板と座板は座板の突起爪片を超音波溶着で溶着して固定したものであるから、強固に固定ができると共に、型成形のように生地が樹脂化して硬くならない。また、ミシンを使用しないので検針機作業をしなくてすむ。
【発明を実施するための最良の形態】
【００１４】
以下に、本発明の実施の形態を添付図面に基づいて説明する。本発明の合成樹脂係止具は、板状の雌部材１と雄部材２とから形成されており、雌部材１は、基板３と座板４とから構成されており、雄部材も基板５と座板６から構成されている。雌部材１の基板３、座板４および雄部材２の基板５、座板６はともにポリアセタール、ポリアミドなどの熱可塑性樹脂から成形加工されたものである。
【００１５】
雌部材１の基板３は、図１〜２に示すように、側片部７，７間を幅広の欠如部８に形成し、その欠如部８と連設する幅狭のＵ字状の開口溝９を長さ方向に設けてあり、その開口溝９の裏面外周部に水平状のガイド面１０を形成してある。１１，１１は表面側の両側下端部の肉厚を薄くして形成した方形状の凹部、１２は下面部で、その両側部に長四角形の切り込み部１２ａ，１２ａを設けてある。この雌部材1の基板３は、図４，５に示すように側片部７は厚さが薄く形成されているが、基板３の本体部は厚くなっている。
【００１６】
一方、雌部材１の座板４は、図７に示すように、一側端の角部を面取り部とした方形状の薄い板体で、裏面側の両側縁に円錐状の突起爪１３を３個ずつ突設してある。この突起爪１３をテープＴに突き刺し、図９に示すように、突起爪１３の先端部を超音波溶着で基板３の裏面と一体化する。
【００１７】
雄部材２の基板５は、図１０に示すように、上辺部１４から長さ方向に一体に突設する係合突部１５を設けてあり、この係合突部１５は頭部を円形とし、雌部材１のＵ字状の開口溝９と嵌合するようになっていると共に、頭部の近傍部に張出部１６を形成してあり、この張出部１６は、Ｕ字状の開口溝９のガイド面１０をスライドできるようになっている。１７は両側下端部に設けた隆起部で、前記の雌部材１と係合した時に、雌部材の下面部１２を受け止めるものであり、図１１に示すように、一端部を傾斜面１８に、他端部を小突起部１９に形成してある。２０は係合突部の下面の開口部、２１は隆起部の上方に設けた開口部である。
【００１８】
一方、雄部材２の座板６は、前述の雌部材１の座板４と同様のもので、裏面側の両側縁に円錐状の突起爪片２２を３個ずつ突設してある。そして、図１５に示すように、テープＴを挟んで基板５と座板６を対向させ、突起爪２２の先端をテープＴに突き刺し、超音波溶着で基板５と一体化してある。
【００１９】
このように構成した本発明の係止具の使用状態を図１９Ａ，図１９Ｂに示すブラジャーなどのバック布２３，２４に取り付けた場合について説明すると、左側のバック布外面側２３ａに雌部材１の基板３を、内面側２３ｂに座板４となるように雌部材１が一定間隔毎で３列取り付けられており、右側のバック布外面側２４ａに雄部材２の座板６を、内面側２４ｂに基板５となるように雄部材２を一体的に取り付けられている。
【００２０】
そして、右側のバック布２４の端部を指で摘み雄部材２の係合突部１５を、左側のバック布２３に固定してある雌部材１の基板３の欠如部８からＵ字状の開口溝９に沿ってスライドさせると、係合突部１５の頭部がＵ字状の開口溝９に嵌合すると共に、張出部１６が開口溝９の裏面のガイド面１０にそってガイドされながらスライドして受け止められ、頭部１５ａが開口溝９の底部に達し係合する。その後、雄部材２の下端部を押圧すると隆起部１７、１７の小突起部１９，１９が雌部材１の下面部１２の両側端に設けた切り込み部１２ａ、１２ａと係合する。この時、クリック感があることから、係合したことを確認できる。
【００２１】
係合状態を解く場合は、雄部材２の取り付けられた右側のバック布２４の端部を引き上げると隆起部１７、１７の小突起部１９，１９と雌部材１の切り込み部１２、１２との係合が解かれ、そのまま右方向にスライドさせると、係合突部１５の張出部１６，１６がガイド面９を摺動し係合突部１５が欠除部８に達すると係合が解かれ外すことができる。
【００２２】
以上、本発明の主要な実施の形態について説明したが、本発明は、これらの実施に限定されるものではなく、例えば、座板の形状は方形状だけでなく、円形、楕円形、ハート形、クローバ形などの形状に変化させてモチーフ機能を付加することもできる。また、座板の肌側に当る面に起毛処理等をして肌当りを良くすることもあり、要するに発明の目的を達成でき、且つ発明の要旨を逸脱しない範囲内で種々の設計変更が可能であり、それらも全て本発明の範囲内に包含されるものである。
【産業上の利用可能性】
【００２３】
ブラジャー、ブラスリップ、ボディスーツなど女性の下着用の係止具だけにかぎるものではなく、インナー、アウターなど他の衣類全般および衣類以外でも対向する端縁の開閉のためにも取り付けることができるのである。
【図面の簡単な説明】
【００２４】
【図１】雌部材の基板の正面図である。
【図２】雌部材の基板の背面図である。
【図３】雌部材の基板の底面図である。
【図４】図１のＡ−Ａ線断面図である。
【図５】図１のＢ−Ｂ線断面図である。
【図６】図１のＣ−Ｃ線断面図である。
【図７】雌部材の座板の正面図である。
【図８】図７のＤ−Ｄ線断面図である。
【図９】雌部材の基板と座板をテープに一体に溶着した断面図である。
【図１０】雄部材の基板の正面図である。
【図１１】雄部材の基板の側面図である。
【図１２】押部材の基板の底面図である。
【図１３】雄部材の座板の正面図である。
【図１４】図１３のＥ−Ｅ線断面図である。
【図１５】雄部材の基板と座板をテープに一体に溶着した断面図である。
【図１６】雄部材と雌部材の係合状態を示す正面図である。
【図１７】雄部材と雌部材の係合状態を示す側面図である。
【図１８】テープに取り付けた雄部材と雌部材の係合状態を示す断面図である。
【図１９Ａ】バック布に取り付けた状態を示す説明図である。
【図１９Ｂ】バック布の端部を折り曲げた状態を示す説明図である。
【図２０】従来例の正面図である。
【図２１】図２０のF−F線拡大断面図である。
【符号の説明】
【００２５】
１      雌部材
２      雄部材
３      基板
４      座板
５      基板
６      座板
９      開口溝
１０    ガイド面
１２    下面部
１２ａ  切り込み部
１３    突起爪
１５    係合突部
１６    張出部
１７    隆起部
１９    小突起部
【図１】
2005073820.tif 000003
【図２】
2005073820.tif 000004
【図３】
2005073820.tif 000005
【図４】
2005073820.tif 000006
【図５】
2005073820.tif 000007
【図６】
2005073820.tif 000008
【図７】
2005073820.tif 000009
【図８】
2005073820.tif 000010
【図９】
2005073820.tif 000011
【図１０】
2005073820.tif 000012
【図１１】
2005073820.tif 000013
【図１２】
2005073820.tif 000014
【図１３】
2005073820.tif 000015
【図１４】
2005073820.tif 000016
【図１５】
2005073820.tif 000017
【図１６】
2005073820.tif 000018
【図１７】
2005073820.tif 000019
【図１８】
2005073820.tif 000020
【図１９Ａ】
2005073820.tif 000021
【図１９Ｂ】
2005073820.tif 000022
【図２０】
2005073820.tif 000023
【図２１】
2005073820.tif 000024